(57)【特許請求の範囲】
【請求項１】
物体側から順に開口絞り、第１レンズ、第２レンズからなり、
前記第１レンズは、物体側に凸面、像側に凹面を有する正メニスカスレンズであり、
前記第２レンズは、像側面に近軸凹面を向けた負レンズで、前記像側面は変曲点を持ち周辺が凸形状を有する非球面を備えてなる撮像レンズであって、
前記第２レンズの物体側面に赤外カットコートを有し、
以下の条件式を満足することを特徴とする撮像レンズ。
−１．１０＜（１−ｎ１）ｆ／ｒ２＜−０．２０      （１）
−０．１８＜（ｎ２−１）ｆ／ｒ３＜  ０．１８      （２）
−０．２５＜（１−ｎ２）ｆ／ｒ４＜−０．０２      （３）
但し、
ｎ１：前記第１レンズのｄ線に対する屈折率
ｎ２：前記第２レンズのｄ線に対する屈折率
ｒ２：前記第１レンズ像側面の曲率半径（ｍｍ）
ｒ３：前記第２レンズ物体側面の曲率半径（ｍｍ）
ｒ４：前記第２レンズ像側面の曲率半径（ｍｍ）
ｆ：全系の焦点距離（ｍｍ）
【請求項２】
以下の条件式を満足することを特徴とする請求項１に記載の撮像レンズ。
−１０．０＜（ＳＡＧ３／ｆ）×１０００＜０      （４）
ただし、
ＳＡＧ３：前記第２レンズ物体側面の有効径の７割の位置におけるサグ量
【請求項３】
以下の条件式を満足することを特徴とする請求項１又は２に記載の撮像レンズ。
０．３０  ＜  ｄ３／ｆ  ＜  ０．６０      （５）
ただし、
ｄ３：前記第２レンズの軸上厚（ｍｍ）
【請求項４】
以下の条件式を満足することを特徴とする請求項１〜３のいずれか１項に記載の撮像レンズ。
−２０．０  ＜  ｆ２／ｆ１  ＜  −５．０      （６）
ただし、
ｆ１：前記第１レンズの焦点距離（ｍｍ）
ｆ２：前記第２レンズの焦点距離（ｍｍ）
【請求項５】
前記第２レンズはガラス製であることを特徴とする請求項１〜４のいずれか１項に記載の撮像レンズ。
【請求項６】
前記第２レンズは樹脂製であることを特徴とする請求項１〜４のいずれか１項に記載の撮像レンズ。
【請求項７】
請求項１〜６のいずれか１項に記載の撮像レンズと、固体撮像素子とを有し、以下の式を満たすことを特徴とする撮像装置。
Ｌ／２Ｙ＜１．００      （７）
ただし、
Ｌ：前記撮像レンズ全系の最も物体側のレンズ面から像側焦点までの光軸上の距離
２Ｙ：前記固体撮像素子の撮像面対角線長（前記固体撮像素子の矩形実効画素領域の対角線長）
【請求項８】
以下の式を満たすことを特徴とする請求項７に記載の撮像装置。
Ｌ／２Ｙ＜０．９０      （７’）
【発明の詳細な説明】
【技術分野】
【０００１】
本発明は、ＣＣＤ（Ｃｈａｒｇｅ  Ｃｏｕｐｌｅｄ  Ｄｅｖｉｃｅｓ）型イメージセンサやＣＭＯＳ（Ｃｏｍｐｌｅｍｅｎｔａｒｙ  Ｍｅｔａ１−Ｏｘｉｄｅ  Ｓｅｍｉｃｏｎｄｕｃｔｏｒ）型イメージセンサ等の固体撮像素子を用いた撮像装置に好適な撮像レンズに関するものである。
【背景技術】
【０００２】
近年、CCD型イメージセンサあるいはCMOS型イメージセンサ等の固体撮像素子を用いた撮像素子の高性能化、小型化に伴い、撮像装置を備えた携帯電話（スマートフォンを含む）や携帯情報端末が普及しつつある。また、これらの撮像装置に搭載される撮像レンズには、さらなる小型化、高性能化への要求が高まっている。近頃ではこのような携帯端末に高画素・高性能のメインカメラと、低画素・小型のサブカメラの２つが搭載されている場合も多い。【０００３】
メインカメラ用途の撮像レンズとしては、高性能化が必要とされるため３枚乃至５枚構成の撮像レンズが提案されている。一方で、サブカメラ用途の撮像レンズとしては、これまではVGA以下の低画素が一般的であったため、１枚構成の撮像レンズが主であったが、近頃ではサブカメラの高画素化が進み、低背（短全長）に加え、１３０万画素、２００万画素などの高画素へ対応できる高性能化も求められるようになってきており、そのため１枚構成に比べ高性能化が可能な２枚構成の撮像レンズが提案されている。【０００４】
２枚構成の撮像レンズとしては、特許文献１〜４のような、正負構成の撮像レンズが知られている。
【先行技術文献】
【特許文献】
【０００５】
【特許文献１】国際公開第２００６／３５９９０号パンフレット
【特許文献２】特開２０１１−２８２１３号公報
【特許文献３】特開２０１０−１１３１２４号公報
【特許文献４】特開２０１１−１４５４９１号公報
【発明の開示】
【発明が解決しようとする課題】
【０００６】
しかしながら、特許文献１に記載の撮像レンズでは、第２レンズの像側面の曲率が強く、変曲点までのサグ量が大きく、成形性が悪くなってしまうという問題がある。特にガラスモールドレンズのような硬い材料のレンズにおいては、成形性が悪くなると成形の際のレンズ面形状バラつきが大きくなってしまい、十分な光学性能の確保が困難となる。【０００７】
また、特許文献２に記載の撮像レンズでは、第２レンズの像側面の曲率が弱いため収差補正が不足であり、その収差補正不足を補うために、第２レンズの物体側面の曲率が強くなっており、有効径内の見込み角が大きくなり成形性が悪くなってしまうという問題がある。【０００８】
また、特許文献３に記載の撮像レンズでは、成形性を考慮した撮像レンズとなっているものの、第１レンズの像側面の曲率が弱く、ペッツバール和が大きいため像面湾曲の補正が不十分であり、さらにレンズ全長を短縮した場合、性能劣化が起こり撮像素子の高画素化に対応が困難となる問題がある。【０００９】
また、特許文献４に記載の撮像レンズでは、第２レンズ物体側の曲率が強過ぎるため成形性が悪いという問題がある。【００１０】
本発明は、このような問題点に鑑みてなされたものであり、従来タイプより成形性などが良好でありながら、諸収差が補正された２枚構成の撮像レンズおよび、この撮像レンズを用いた撮像装置を提供することを目的とする。【００１１】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      （７）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）【００１２】
ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．９０      （７）’
【課題を解決するための手段】
【００１３】
請求項１に記載の撮像レンズは、物体側から順に開口絞り、第１レンズ、第２レンズからなり、
前記第１レンズは、物体側に凸面、像側に凹面を有する正メニスカスレンズであり、
前記第２レンズは、像側面に近軸凹面を向けた負レンズで、前記像側面は変曲点を持ち周辺が凸形状を有する非球面を備えてなる撮像レンズであって、
前記第２レンズの物体側面に赤外カットコートを有し、
以下の条件式を満足することを特徴とする。
−１．１０＜（１−ｎ１）ｆ／ｒ２＜−０．２０      （１）
−０．１８＜（ｎ２−１）ｆ／ｒ３＜  ０．１８      （２）
−０．２５＜（１−ｎ２）ｆ／ｒ４＜−０．０２      （３）
但し、
ｎ１：前記第１レンズのｄ線に対する屈折率
ｎ２：前記第２レンズのｄ線に対する屈折率
ｒ２：前記第１レンズ像側面の曲率半径（ｍｍ）
ｒ３：前記第２レンズ物体側面の曲率半径（ｍｍ）
ｒ４：前記第２レンズ像側面の曲率半径（ｍｍ）
【００１４】
第１レンズを正レンズとし、第２レンズを負レンズの構成とすることで、所謂テレフォトタイプとなるため、光学全長を短縮することが可能となる。さらに第１レンズの形状を物体側に凸面を向けたメニスカスレンズとすることで、パワーの強い第１レンズの主点位置を物体側にできるため、さらなる光学全長の短縮が可能となる。また、一般に光学全長を短縮すると射出瞳位置が像面に近付いてくるため、テレセントリック性の確保が課題となるが、開口絞りを最も物体側に置くことで射出瞳位置を物体側へ寄せ、さらに第２レンズの像側面を、変曲点を持ち周辺が凸形状を有するような非球面とする（すなわち周辺部が正のパワーを持つようにする）ことで画面周辺部への光線入射角を小さくし、良好なテレセントリック性を確保することができる。【００１５】
条件式（１）の値が上限を下回ることで、第１レンズ像側面の凹面にパワーを持たせることができるため、ペッツバール和を小さくし、像面湾曲を良好に補正することが出来る。また、条件式（１）の値が下限を上回ることで、凹面が強くなり過ぎることによる高次収差の発生を防ぐことができる。さらに、本発明の撮像レンズは、望ましくは以下の条件式（１’）を満足する。
−０．９０＜（１−ｎ１）ｆ／ｒ２＜−０．３０      （１’）【００１６】
条件式（２）の値が上限を下回るか下限を上回ることで、第２レンズの物体側面の曲率が弱くなるため、光学面の見込み角が小さくなり、成形性が良好となる。さらに、本発明の撮像レンズは、望ましくは以下の条件式（２’）を満足する。
−０．１５＜（ｎ２−１）ｆ／ｒ３＜  ０．１５      （２’）【００１７】
条件式（３）の値が上限を下回ることで、第２レンズの像側面のパワーが強くなるため、ペッツバール和が小さくなり、像面湾曲を良好に補正することができる。また、条件式（３）の値が下限を上回ることで、第２レンズ像側面の凹面が弱くなるため、周辺の正のパワーに至る変曲点までのサグ量を小さく抑えることができ、良好な成形性を保つことが出来る。さらに、本発明の撮像レンズは、望ましくは以下の条件式（３’）を満足する。
−０．２０＜（１−ｎ２）ｆ／ｒ４＜−０．０５      （３’）【００１８】
請求項２に記載の撮像レンズは、請求項１に記載の発明において、以下の条件式を満足することを特徴とする。
−１０．０＜（ＳＡＧ３／ｆ）×１０００＜０      （４）
ただし、
ＳＡＧ３：前記第２レンズ物体側面の有効径の７割の位置におけるサグ量【００１９】
（４）式を満たすように、第２レンズ物体側面のサグ量を小さく抑えることで、光学面を緩やかな面とすることができるため成形性を良好に保つことができる。ここで、「有効径」とは、最も高い像高に結像する光線の最外光線が通る位置をいう。【００２１】
ＩＲカット機能を光学面に持たせることで、ＩＲカットフィルタのような赤外カット機能を持った別部材を省略することができるため、コストダウンにつながる。光学面にＩＲカットコートを施す場合、レンズに曲率が付いているため、レンズ中心部と周辺部で膜厚に差が出ることが知られている。特に、（２）式、（４）式を満たしている面は面角度が小さく抑えられているため、ＩＲカットコートを光学面にする際に発生する膜厚変動を小さく抑えることができ、コート波長特性の短波長側へのシフトを最小限に抑えることが出来る。【００２２】
請求項３に記載の撮像レンズは、請求項１又は２に記載の発明において、以下の条件式を満足することを特徴とする。
０．３０  ＜  ｄ３／ｆ  ＜  ０．６０      （５）
ただし、
ｄ３：前記第２レンズの軸上厚（ｍｍ）
【００２３】
条件式（５）の値が上限を下回ることで、第２レンズの厚さが厚くなり過ぎず、光学全長を短縮することができる。また条件式（５）の値が下限を上回ることで、第２レンズの厚さが薄くなり過ぎず、像側面の周辺部が物体側へサグを持っていても、コバ厚を確保することができるため、成形性を良好に保つことができる。さらに、本発明の撮像レンズは、望ましくは以下の条件式（５’）を満足する。
０．３５  ＜  ｄ３／ｆ  ＜  ０．５０      （５’）【００２４】
請求項４に記載の撮像レンズは、請求項１〜３のいずれかに記載の発明において、以下の条件式を満足することを特徴とする。
−２０．０  ＜  ｆ２／ｆ１  ＜  −５．０      （６）
ただし、
ｆ１：前記第１レンズの焦点距離（ｍｍ）
ｆ２：前記第２レンズの焦点距離（ｍｍ）
【００２５】
条件式（６）は第１レンズと第２レンズのパワーの比を表わす条件式である。条件式（６）の値が上限を下回ることで、第２レンズのパワーに対して第１レンズのパワーが十分強くなるため、光学全長を小さく抑えることができる。また条件式（６）の値が下限を上回ることで、第１レンズのパワーに対して、第２レンズがある程度パワーを持つため、ペッツバール和を小さくすることが出来、像面湾曲を良好に補正することができる。また、全系の主点を物体側に寄せることができるため、さらなる光学全長の短縮も可能となる。
さらに、本発明の撮像レンズは、望ましくは以下の条件式（６’）を満足する。
−１７．０  ＜  ｆ２／ｆ１  ＜  −８．０      （６’）【００２６】
請求項５に記載の撮像レンズは、請求項１〜４のいずれかに記載の発明において、前記第２レンズはガラス製であることを特徴とする。（２）、（３）式を満たす第２レンズは、金型の加工が容易で、素材をガラスとした場合の成形性に優れる。更にガラスモールドレンズのような硬い材料のレンズにおいては、成形性が悪くなると成形の際のレンズ面形状バラつきが大きくなってしまい、十分な光学性能の確保が困難となる。
【００２７】
請求項６に記載の撮像レンズは、請求項１〜４のいずれかに記載の発明において、前記第２レンズは樹脂製であることを特徴とする。（２）、（３）式を満たす第２レンズは、成形時に収縮しても高精度な面形状を確保できる。
【００２８】
請求項７に記載の撮像装置は、請求項１〜６のいずれかに記載の撮像レンズと、固体撮像素子とを有し、以下の式を満たすことを特徴とする。
Ｌ／２Ｙ＜１．００      （７）
ただし、
Ｌ：前記撮像レンズ全系の最も物体側のレンズ面から像側焦点までの光軸上の距離
２Ｙ：前記固体撮像素子の撮像面対角線長（前記固体撮像素子の矩形実効画素領域の対角線長）
【００２９】
請求項８に記載の撮像装置は、請求項７に記載の発明において、以下の式を満たすことを特徴とする。
Ｌ／２Ｙ＜０．９０      （７’）
【発明の効果】
【００３０】
本発明によれば、従来タイプより成形性などが良好でありながら、諸収差が補正された２枚構成の撮像レンズおよび、この撮像レンズを用いた撮像装置を提供することができる。
【図面の簡単な説明】
【００３１】
【図１】本実施の形態にかかる撮像装置ＬＵの斜視図である。
【図２】図１の構成を矢印II-II線で切断して矢印方向に見た断面図である。
【図３】携帯電話機Ｔを示す図で、（ａ）は折り畳んだ携帯電話機を開いて内側から見た図、（ｂ）は折り畳んだ携帯電話機を開いて外側から見た図である。
【図４】実施例１にかかる撮像レンズの断面図である。
【図５】実施例１にかかる撮像レンズの球面収差（ａ）、非点収差（ｂ）、及び歪曲収差（ｃ）の収差図である。
【図６】実施例２にかかる撮像レンズの断面図である。
【図７】実施例２にかかる撮像レンズの球面収差（ａ）、非点収差（ｂ）、及び歪曲収差（ｃ）の収差図である。
【図８】実施例３にかかる撮像レンズの断面図である。
【図９】実施例３にかかる撮像レンズの球面収差（ａ）、非点収差（ｂ）、及び歪曲収差（ｃ）の収差図である。
【図１０】実施例４にかかる撮像レンズの断面図である。
【図１１】実施例４にかかる撮像レンズの球面収差（ａ）、非点収差（ｂ）、及び歪曲収差（ｃ）の収差図である。
【図１２】実施例５にかかる撮像レンズの断面図である。
【図１３】実施例５にかかる撮像レンズの球面収差（ａ）、非点収差（ｂ）、及び歪曲収差（ｃ）の収差図である。
【図１４】実施例６にかかる撮像レンズの断面図である。
【図１５】実施例６にかかる撮像レンズの球面収差（ａ）、非点収差（ｂ）、及び歪曲収差（ｃ）の収差図である。
【図１６】実施例７にかかる撮像レンズの断面図である。
【図１７】実施例７にかかる撮像レンズの球面収差（ａ）、非点収差（ｂ）、及び歪曲収差（ｃ）の収差図である。
【発明を実施するための形態】
【００３２】
以下、本発明の実施の形態を図面に基づいて説明する。図１は、本実施の形態にかかる撮像装置ＬＵの斜視図であり、図２は、図１の構成を矢印II-II線で切断して矢印方向に見た断面図である。図２に示すように、撮像装置ＬＵは、光電変換部ＩＭａを有する固体撮像素子としてのＣＭＯＳ型イメージセンサＩＭと、このイメージセンサＩＭの光電変換部（受光面）ＩＭａに被写体像を撮像させる撮像レンズＬＮと、その電気信号の送受を行う不図示の外部接続用端子（電極）とを備え、これらが一体的に形成されている。
【００３３】
撮像レンズＬＮは、物体側（図２で上方）から順に、ガラス又は樹脂製の第１レンズＬ１と、ガラス又は樹脂製の第２レンズＬ２とからなる。レンズをガラスで作製する場合、ガラスモールドや液滴法で成形できる。第１レンズＬ１は、物体側に凸面、像側に凹面を有する正メニスカスレンズであり、第２レンズＬ２は、像側面に近軸凹面を向けた負レンズで、像側面は変曲点を持ち周辺が凸形状を有する非球面を備えてなり、以下の条件式を満足する。
−１．１０＜（１−ｎ１）ｆ／ｒ２＜−０．２０      （１）
−０．１８＜（ｎ２−１）ｆ／ｒ３＜  ０．１８      （２）
−０．２５＜（１−ｎ２）ｆ／ｒ４＜−０．０５      （３）
但し、
ｎ１：第１レンズＬ１のｄ線に対する屈折率
ｎ２：第２レンズＬ２のｄ線に対する屈折率
ｒ２：第１レンズ像側面の曲率半径（ｍｍ）
ｒ３：第２レンズ物体側面の曲率半径（ｍｍ）
ｒ４：第２レンズ像側面の曲率半径（ｍｍ）
ｆ：全系の焦点距離（ｍｍ）
【００３４】
上記イメージセンサＩＭは、その受光側の平面の中央部に、画素（光電変換素子）が２次元的に配置された、受光部としての光電変換部ＩＭａが形成されており、不図示の信号処理回路に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサＩＭの受光側の平面の外縁近傍には、多数のパッド（図示略）が配置されており、不図示のワイヤを介してイメージセンサＩＭに接続されている。イメージセンサＩＭは、光電変換部ＩＭａからの信号電荷をデジタルＹＵＶ信号等の画像信号等に変換し、ワイヤ（不図示）を介して所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００３５】
イメージセンサＩＭは、外部接続用端子を介して外部回路（例えば、撮像装置を実装した携帯端末の上位装置が有する制御回路）と接続し、外部回路からイメージセンサＩＭを駆動するための電圧やクロック信号の供給を受けたり、また、デジタルＹＵＶ信号を外部回路へ出力したりすることを可能とする。
【００３６】
イメージセンサＩＭの上部は、カバーガラスＣＧにより封止されている。カバーガラスＣＧの上方（物体側）には、スペーサＳＰ３を介在させて、平行平板状のＩＲカットフィルタＦが設けられ、その上方には、スペーサＳＰ２を介在させて、所定の距離で第２レンズＬ２のフランジ部（レンズ部の外側）が固定され、更にその上方には、スペーサＳＰ１を介在させて、第１レンズＬ１のフランジ部（レンズ部の外側）が固定されている。
【００３７】
これらレンズＬ１、Ｌ２の外側は、筐体ＢＸにより覆われており、筐体ＢＸの上部フランジＢＸａの下面が、第１レンズＬ１のフランジ部（レンズ部の外側）の上面に当接して支持されており、筐体ＢＸの下端はカバーガラスＣＧに接触している。筐体ＢＸの上部フランジＢＸａに形成された開口が絞りＳを構成している。
【００３８】
次に、撮像装置を備えた携帯端末の一例として携帯電話機を図３の外観図に基づいて説明する。なお、図３（ａ）は折り畳んだ携帯電話機を開いて内側から見た図であり、図３（ｂ）は折り畳んだ携帯電話機を開いて外側から見た図である。
【００３９】
図３（ａ）、（ｂ）において、携帯電話機Ｔは、表示画面Ｄ１，Ｄ２を備えたケースとしての上筐体７１と、操作ボタンＢを備えた下筐体７２とがヒンジ７３を介して連結されている。本実施の形態においては、風景等を撮影するためのメインの撮像装置ＭＣが、上筐体７１の表面側に設けられ、上述した広角の撮像レンズＬＮを備える撮像装置ＬＵが、上筐体７１の裏面側であって表示画面Ｄ１の上に設けられている。
【００４０】
撮像レンズＬＮは、図３（ａ）に示すように撮像装置ＬＵに正対した状態で、携帯電話機Ｔを手で把持した使用者自身の上半身を撮像装置ＬＵにより撮像できる。その画像信号を通信している相手方の携帯電話機に送信して、こちらのユーザーの画像を表示できると共に、通常の通話を行うことにより、いわゆるテレビ電話を実現できる。なお、携帯電話機Ｔは折り畳み式に限定されるものではない。
【００４１】
（実施例）
次に、上述した実施の形態に好適な実施例について説明する。但し、以下に示す実施例により本発明が限定されるものではない。実施例における各符号の意味は以下の通りである。
ＦＬ：撮像レンズ全系の焦点距離（ｍｍ）
ＢＦ：バックフォーカス（ｍｍ）（但し、平行平板を空気換算長とした時の、平行平板を除いた最終光学面から近軸像面までの距離）
Ｆｎｏ  ：Ｆナンバー
ｗ  ：半画角（゜）
Ｙｍａｘ：固体撮像素子の撮像面対角線長の半分の長さ（ｍｍ）
ＴＬ：撮像レンズ全系の最も物体側のレンズ面から像側焦点までの光軸上の距離（ｍｍ）（但し、「像側焦点」とは、撮像レンズに光軸と平行な平行光線が入射した場合の像点をいい、このときの像点は平行平板を空気換算長として求める。）
ｒ  ：屈折面の曲率半径（ｍｍ）
ｄ  ：軸上面間隔（ｍｍ）
ｎｄ：レンズ材料のｄ線の常温での屈折率
ｖｄ：レンズ材料のアッベ数
ＳＴＯ：開口絞り
【００４２】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００４３】
【数１】
0005963003.tif 000002
ただし、
Ａｉ：ｉ次の非球面係数
Ｒ  ：基準曲率半径
Ｋ  ：円錐定数
である。
【００４４】
また、以降（表のレンズデータを含む）において、１０のべき乗数（例えば、２．５×１０-02）をＥ（例えば２．５ｅ−００２）を用いて表すものとする。また、レンズデータの面番号は第１レンズの物体側を１面として順に付与した。なお、実施例に記載の長さを表す数値の単位はすべてｍｍとする。
【００４５】
（実施例１）
実施例１におけるレンズデータを表１に示す。図４は実施例１のレンズの断面図である。実施例１の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００４６】
［表１］
Reference Wave Length = 587.56 nm
unit: mm
NUM.       r           d          nd     vd     eff.diameter
OBJ     INFINITY    350.0000                      
1     INFINITY      0.0500                      0.840
STO     INFINITY     -0.0850                      0.840
3*      0.8376      0.6530   1.58313  59.44     0.904
4*      1.5995      0.4070                      0.943
5*      1e+018      0.9620   1.58313  59.44     1.248
6*     12.5380      0.1000                      2.334
7     INFINITY      0.1750   1.52310  54.49     3.400
8     INFINITY      0.1690                      3.400
9     INFINITY      0.4000   1.52550  62.19     3.400
IMG     INFINITY      0.0563                      
非球面係数
3:K=-4.42830e+000,A3=1.95700e-002,A4=9.65840e-001,A6=-8.98080e-001,A8=-2.17300e+001,A10=3.89000e+002,A12=-2.98010e+003,A14=1.12680e+004,A16=-1.69290e+004
4:K=-5.00000e+001,A3=4.60780e-001,A4=-4.30670e-001,A6=9.84810e+000,A8=-1.02650e+002,A10=8.50080e+002,A12=-4.59480e+003,A14=1.43470e+004,A16=-1.87400e+004
5:K=0.00000e+000,A4=-4.74040e-001,A6=1.18080e+000,A8=-1.32070e+001,A10=5.38720e+001,A12=-9.71240e+001,A14=1.83010e+002,A16=-1.01490e+003,A18=2.50480e+003,A20=-1.91630e+003
6:K=0.00000e+000,A4=-9.02160e-002,A6=-1.31520e-001,A8=2.57910e-001,A10=-3.88240e-001,A12=2.37370e-001,A14=6.04190e-002,A16=-1.63310e-001,A18=7.72210e-002,A20=-1.18490e-002
FL       2.3599
Fno       2.8224
w      64.3227
Ymax    1.5400
BF       0.694
TL       2.715
Elem   Surfs   Focal Length    Diameter
1     3-11       2.359893      3.3685
Elem   Surfs   Focal Length    Diameter
1     3- 4       2.291940      0.9600
2     5- 6     -21.501209      2.4360
【００４７】
図５は実施例１の収差図（球面収差（ａ）、非点収差（ｂ）、歪曲収差（ｃ））である。ここで、球面収差図において、実線はｄ線、点線はｇ線に対する球面収差量をそれぞれ表し、非点収差図において、実線はサジタル面、点線はメリディオナル面を表す（以下、同じ）。
【００４８】
（実施例２）
実施例２におけるレンズデータを表２に示す。図６は実施例２のレンズの断面図である。実施例２の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００４９】
［表２］
Reference Wave Length = 587.56 nm
unit: mm
NUM.       r           d          nd     vd     eff.diameter
OBJ     INFINITY    350.0000                    
1     INFINITY      0.0500                      0.840
STO     INFINITY     -0.0682                      0.840
3*      0.9004      0.6899   1.58313  59.44     0.911
4*      1.7114      0.4692                      0.981
5*      8.0460      0.9004   1.58313  59.44     1.344
6*      5.7540      0.1000                      2.331
7     INFINITY      0.1750   1.52310  54.49     3.400
8     INFINITY      0.1690                      3.400
9     INFINITY      0.4000   1.52550  62.19     3.400
IMG     INFINITY      0.0924                    
非球面係数
3:K=-4.40583e+000,A3=-3.52063e-003,A4=8.87648e-001,A6=-1.37562e+000,A8=-2.11593e+001,A10=4.25059e+002,A12=-3.19571e+003,A14=1.12751e+004,A16=-1.53899e+004
4:K=-5.00000e+001,A3=3.97337e-001,A4=-4.98522e-001,A6=1.03872e+001,A8=-1.15793e+002,A10=9.34071e+002,A12=-4.60672e+003,A14=1.23904e+004,A16=-1.36840e+004
5:K=0.00000e+000,A4=-5.09306e-001,A6=1.86433e+000,A8=-1.36358e+001,A10=4.81356e+001,A12=-1.00943e+002,A14=2.40224e+002,A16=-7.55447e+002,A18=1.34373e+003,A20=-8.85488e+002
6:K=0.00000e+000,A4=-1.12968e-001,A6=-1.26251e-001,A8=2.82773e-001,A10=-3.93303e-001,A12=2.24028e-001,A14=5.85290e-002,A16=-1.58629e-001,A18=8.29624e-002,A20=-1.52528e-002
FL       2.4197
Fno       2.8224
w      62.9875
Ymax    1.5400
BF       0.730
TL       2.789
Elem   Surfs   Focal Length    Diameter
1     3-11       2.419650      3.3201
Elem   Surfs   Focal Length    Diameter
1     3- 4       2.480770      1.0038
2     5- 6     -40.501402      2.4472
【００５０】
図７は実施例２の収差図（球面収差（ａ）、非点収差（ｂ）、歪曲収差（ｃ））である。
【００５１】
（実施例３）
実施例３におけるレンズデータを表３に示す。図８は実施例３のレンズの断面図である。実施例３の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００５２】
［表３］
Reference Wave Length = 587.56 nm
unit: mm
NUM.       r           d          nd     vd     eff.diameter
OBJ     INFINITY   1000.0000                     
1     INFINITY      0.0500                      0.840
STO     INFINITY     -0.0623                      0.840
3*      0.9126      0.6779   1.48700  70.19     0.914
4*      3.8590      0.5897                      1.016
5*    -21.4067      1.0663   1.83400  37.19     1.340
6*      8.6587      0.1000                      2.447
7     INFINITY      0.1750   1.52310  54.49     3.400
8     INFINITY      0.1690                      3.400
9     INFINITY      0.4000   1.52550  62.19     3.400
IMG     INFINITY      0.0541                    
非球面係数
3:K=-6.01260e+000,A3=3.75767e-002,A4=9.55063e-001,A6=-1.88262e+000,A8=-2.24516e+001,A10=4.54566e+002,A12=-3.18006e+003,A14=9.91073e+003,A16=-1.11738e+004
4:K=1.26415e+001,A3=4.22193e-001,A4=-1.62799e+000,A6=1.29438e+001,A8=-1.15022e+002,A10=9.16295e+002,A12=-4.67268e+003,A14=1.25006e+004,A16=-1.30901e+004
5:K=0.00000e+000,A4=-2.82274e-001,A6=9.87052e-001,A8=-1.21176e+001,A10=5.00541e+001,A12=-1.02408e+002,A14=2.13102e+002,A16=-8.12319e+002,A18=1.77837e+003,A20=-1.38317e+003
6:K=0.00000e+000,A4=-5.42322e-002,A6=-1.62605e-001,A8=3.10050e-001,A10=-3.83069e-001,A12=2.15983e-001,A14=5.90651e-002,A16=-1.58014e-001,A18=8.26739e-002,A20=-1.46841e-002
FL       2.5371
Fno       2.8224
w      60.9171
Ymax    1.5400
BF       0.694
TL       3.028
Elem   Surfs   Focal Length    Diameter
1     3-11       2.537109      3.3215
Elem   Surfs   Focal Length    Diameter
1     3- 4       2.282481      1.0321
2     5- 6      -7.274781      2.5797
【００５３】
図９は実施例３の収差図（球面収差（ａ）、非点収差（ｂ）、歪曲収差（ｃ））である。
【００５４】
（実施例４）
実施例４におけるレンズデータを表４に示す。図１０は実施例４のレンズの断面図である。実施例４の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００５５】
［表４］
Reference Wave Length = 587.56 nm
unit: mm
NUM.       r           d          nd     vd     eff.diameter
OBJ     INFINITY   1000.0000                     
1     INFINITY      0.0500                      0.898
STO     INFINITY     -0.1200                      0.898
3*      0.8183      0.6304   1.58313  59.39     0.932
4*      1.4096      0.5085                      0.926
5*    -44.2023      0.9173   1.58313  59.39     1.299
6*      9.6803      0.1000                      2.308
7     INFINITY      0.1750   1.52310  54.49     3.400
8     INFINITY      0.1690                      3.400
9     INFINITY      0.3500   1.47140  65.19     3.400
IMG     INFINITY      0.1085                     
非球面係数
3:K=-3.15541e+000,A3=-3.56669e-002,A4=9.24268e-001,A6=-1.05369e-001,A8=-3.30585e+001,A10=4.60558e+002,A12=-3.00381e+003,A14=9.82347e+003,A16=-1.28446e+004
4:K=6.90028e+000,A3=2.93943e-001,A4=-1.57193e+000,A6=1.67272e+001,A8=-1.44248e+002,A10=8.94175e+002,A12=-4.18454e+003,A14=1.34391e+004,A16=-2.09593e+004
5:K=0.00000e+000,A4=-5.35224e-001,A6=1.53473e+000,A8=-1.18000e+001,A10=4.37271e+001,A12=-1.05196e+002,A14=3.34103e+002,A16=-1.20857e+003,A18=2.26001e+003,A20=-1.52940e+003
6:K=0.00000e+000,A4=-1.27106e-001,A6=-1.02122e-001,A8=2.51530e-001,A10=-3.87909e-001,A12=2.31039e-001,A14=6.36030e-002,A16=-1.65851e-001,A18=8.24530e-002,A20=-1.40219e-002
FL       2.5407
Fno       2.8224
w      60.8935
Ymax    1.5400
BF       0.720
TL       2.776
Elem   Surfs   Focal Length    Diameter
1     3-11       2.540692      4.3097
Elem   Surfs   Focal Length    Diameter
1     3- 4       2.401863      0.9700
2     5- 6     -13.533350      2.5958
【００５６】
図１１は実施例４の収差図（球面収差（ａ）、非点収差（ｂ）、歪曲収差（ｃ））である。
【００５７】
（実施例５）
実施例５におけるレンズデータを表５に示す。図１２は実施例５のレンズの断面図である。実施例５の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、ＣＧはカバーガラス、ＩＭは固体撮像素子である。本実施例では、第２レンズＬ２の物体側面にＩＲカットコートを施している。
【００５８】
［表５］
Reference Wave Length = 587.56 nm
unit: mm
NUM.       r           d          nd     vd     eff.diameter
OBJ     INFINITY   1000.0000                      
1     INFINITY      0.0500                      0.820
STO     INFINITY     -0.0227                      0.820
3*      0.9797      0.6220   1.72900  52.69     0.959
4*      1.6103      0.3949                      0.958
5*      9.1068      1.1790   1.58313  59.39     1.244
6*      7.5041      0.1000                      2.507
7     INFINITY      0.3500   1.47140  65.19     3.400
IMG     INFINITY      0.2631                      
非球面係数
3:K=-8.16625e+000,A3=3.18129e-002,A4=9.89771e-001,A6=-5.88553e-001,A8=-3.76841e+001,A10=4.99253e+002,A12=-3.04725e+003,A14=9.22448e+003,A16=-1.10219e+004
4:K=4.33221e+000,A3=3.63077e-001,A4=-1.67171e+000,A6=1.58862e+001,A8=-1.35829e+002,A10=9.18381e+002,A12=-4.32723e+003,A14=1.19693e+004,A16=-1.38134e+004
5:K=0.00000e+000,A4=-4.49680e-001,A6=9.33256e-001,A8=-7.59496e+000,A10=3.81113e+001,A12=-1.56340e+002,A14=4.54470e+002,A16=-7.88247e+002,A18=5.54498e+002,A20=-2.58002e+001
6:K=0.00000e+000,A4=-8.15697e-002,A6=-7.84948e-002,A8=2.35133e-001,A10=-3.93798e-001,A12=2.37718e-001,A14=7.46519e-002,A16=-1.71513e-001,A18=8.12837e-002,A20=-1.30862e-002
FL       2.3215
Fno       2.8224
w      65.4864
Ymax    1.5400
BF       0.592
TL       2.788
Elem   Surfs   Focal Length    Diameter
1     3- 9       2.321550      3.3701
Elem   Surfs   Focal Length    Diameter
1     3- 4       2.423962      0.9833
2     5- 6    -100.308185      2.6834
【００５９】
図１３は実施例５の収差図（球面収差（ａ）、非点収差（ｂ）、歪曲収差（ｃ））である。
【００６０】
（実施例６）
実施例６におけるレンズデータを表６に示す。図１４は実施例６のレンズの断面図である。実施例６の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００６１】
［表６］
Reference Wave Length = 587.56 nm
unit: mm
NUM.       r           d          nd     vd     eff.diameter
OBJ     INFINITY   1000.0000                      
STO     INFINITY      0.0500                      0.814
2     INFINITY     -0.1122                      0.808
3*      0.7666      0.5583   1.58313  59.44     0.817
4*      1.4482      0.4740                      0.854
5*     -8.0747      0.8525   1.58313  59.44     1.190
6*     22.8580      0.0560                      2.264
7     INFINITY      0.1450   1.52550  54.99     3.000
8     INFINITY      0.0500                      3.100
9     INFINITY      0.5000   1.47140  65.19     3.200
IMG     INFINITY      0.1174
非球面係数
3:K=-2.47242e+000,A3=-2.03904e-002,A4=5.28641e-001,A5=2.54642e+000,A6=-8.21916e+000,A8=3.04775e+001,A10=-4.41460e+001,A12=-2.28918e+002,A14=8.29246e+002,A16=-3.23533e+002
4:K=-3.43564e-001,A3=1.96346e-002,A4=2.34363e-001,A5=1.90841e+000,A6=-6.24281e+000,A8=4.77867e+001,A10=-1.42714e+002,A12=-1.22119e+003,A14=1.24465e+004,A16=-2.93322e+004
5:K=0.00000e+000,A3=1.63283e-001,A4=-7.76179e-001,A6=-3.60913e-001,A8=6.84326e+000,A10=-4.15614e+001,A12=8.54161e+001,A14=-1.47110e+001,A16=-1.74300e+002
6:K=0.00000e+000,A4=7.94924e-002,A6=-7.06609e-001,A8=9.79988e-001,A10=-3.12305e-001,A12=-6.37242e-001,A14=5.03041e-001,A16=1.24628e-001,A18=-2.27376e-001,A20=5.74678e-002
FL       2.3694
Fno       2.8200
w      64.2796
Ymax    1.5420
BF       0.645
TL       2.530
Elem   Surfs   Focal Length    Diameter
1     3-11       2.369447      3.5000
Elem   Surfs   Focal Length    Diameter
1     3- 4       2.145640      0.8537
2     5- 6     -10.129665      2.4000
【００６２】
図１５は実施例６の収差図（球面収差（ａ）、非点収差（ｂ）、歪曲収差（ｃ））である。
【００６３】
（実施例７）
実施例７におけるレンズデータを表７に示す。図１６は実施例７のレンズの断面図である。実施例７の撮像レンズは、物体側から順に、物体側から順に開口絞りＳ、第１レンズＬ１、第２レンズＬ２からなり、第１レンズＬ１は、物体側に凸面、像側に凹面を有する正メニスカスレンズであり、第２レンズＬ２は、像側面に近軸凹面を向けた負レンズで、前記像側面は変曲点を持ち周辺が凸形状を有する非球面を備えてなる。尚、Ｆは赤外線カットフィルタ、ＣＧはカバーガラス、ＩＭは固体撮像素子である。
【００６４】
［表７］
Reference Wave Length = 587.56 nm
unit: mm
NUM.       r           d          nd     vd     eff.diameter
OBJ     INFINITY   1000.0000                     
1     INFINITY      0.0500                      0.831
STO     INFINITY     -0.0537                      0.831
3*      1.0204      0.6343   1.58313  59.39     0.924
4*      2.7741      0.5599                      1.038
5*      9.6828      0.9844   1.71200  31.09     1.385
6*      6.9382      0.1000                      2.554
7     INFINITY      0.1750   1.52310  54.49     3.400
8     INFINITY      0.1690                      3.400
9     INFINITY      0.4000   1.52550  62.19     3.400
IMG     INFINITY      0.0844                      
非球面係数
3:K=-7.95071e+000,A3=2.35363e-002,A4=9.82407e-001,A6=-2.35928e+000,A8=-2.33433e+001,A10=4.65419e+002,A12=-3.19416e+003,A14=1.01163e+004,A16=-1.22571e+004
4:K=1.10170e+001,A3=3.78654e-001,A4=-1.54800e+000,A6=1.26252e+001,A8=-1.18094e+002,A10=9.22635e+002,A12=-4.63530e+003,A14=1.24582e+004,A16=-1.34381e+004
5:K=0.00000e+000,A4=-2.59479e-001,A6=8.63308e-001,A8=-1.18218e+001,A10=5.00452e+001,A12=-1.03338e+002,A14=2.11221e+002,A16=-7.81989e+002,A18=1.72624e+003,A20=-1.38433e+003
6:K=0.00000e+000,A4=-3.32183e-002,A6=-1.98003e-001,A8=3.20956e-001,A10=-3.80584e-001,A12=2.13360e-001,A14=5.92626e-002,A16=-1.57226e-001,A18=8.27200e-002,A20=-1.50977e-002
FL       2.3803
Fno       2.8224
w      63.6944
Ymax    1.5400
BF       0.723
TL       2.902
Elem   Surfs   Focal Length    Diameter
1     3-11       2.380264      3.3332
Elem   Surfs   Focal Length    Diameter
1     3- 4       2.442743      1.0382
2     5- 6     -40.404709      2.5543
【００６５】
図１７は実施例７の収差図（球面収差（ａ）、非点収差（ｂ）、歪曲収差（ｃ））である。
【００６６】
各条件式に対応する実施例の値を表８にまとめて示す。
【００６７】
【表８】
0005963003.tif 000003
【００６８】
本発明は、明細書に記載の実施例に限定されるものではなく、他の実施例・変形例を含むことは、本明細書に記載された実施例や技術思想から本分野の当業者にとって明らかである。明細書の記載及び実施例は、あくまでも例証を目的としており、本発明の範囲は後述するクレームによって示されている。
【符号の説明】
【００６９】
Ｂ  操作ボタン
Ｄ１，Ｄ２  表示画面
Ｆ  ＩＲカットフィルタ
Ｌ１  第１レンズ
Ｌ２  第２レンズ
Ｌ３  第３レンズ
ＬＮ  撮像レンズ
ＬＵ  撮像装置
ＣＧ  カバーガラス
Ｓ  開口絞り
ＩＭ  イメージセンサ
ＩＭａ  光電変換部
Ｔ  携帯電話機
【図１】
0005963003.tif 000004
【図２】
0005963003.tif 000005
【図３】
0005963003.tif 000006
【図４】
0005963003.tif 000007
【図５】
0005963003.tif 000008
【図６】
0005963003.tif 000009
【図７】
0005963003.tif 000010
【図８】
0005963003.tif 000011
【図９】
0005963003.tif 000012
【図１０】
0005963003.tif 000013
【図１１】
0005963003.tif 000014
【図１２】
0005963003.tif 000015
【図１３】
0005963003.tif 000016
【図１４】
0005963003.tif 000017
【図１５】
0005963003.tif 000018
【図１６】
0005963003.tif 000019
【図１７】
0005963003.tif 000020